(57)【要約】【課題】  パチスロ機に多数のメダルを１度に投入できる外付け可能なメダル投入機を提供する。【解決手段】パチスロ機本体に固定可能な基体を備え、基体には、メダル投入受け皿と、メダル上積み用の筒体と、メダル滑り案内板と、メダル滑り案内板上のメダルを１枚ずつ一方向に通過させるメダル通し口が設けられる。メダル滑り案内板にはローラから成る駆動体が配置され、該駆動体はモータに連係し、該駆動体の回転によって、筒体から落下したメダル滑り案内板上のメダルが該メダル通し口からメダル排出方向に押し出される。【選択図】  図１
2020124470.tif 000002
【特許請求の範囲】
【請求項１】
パチスロ機本体に固定可能な基体２４，１０２，１４０と、
前記基体２４，１０２，１４０に取り付けられたメダル投入受け皿３２，１０６，１４４と、メダル投入受け皿３２，１０６，１４４の底部の開口部に対向配置され、該メダル投入受け皿３２，１０６，１４４の底部の開口部から落下するメダルを積み重なるように収納するメダル積み重ね収納部が形成された、前記基体２４，１０２，１４０に取り付けられた筒体３４，６８，１０７，１４２と、
前記基体２４，１０２，１４０に取り付けられた前記筒体３４，６８，１０７，１４２内のメダルを一方向に案内するメダル滑り案内板３８，７０，１１２，１５６と、
前記メダル滑り案内板３８，７０，１１２，１５６と前記筒体３４，６８，１０７，１４２の下部との間に位置して形成されたメダルを１枚ずつ一方向に通過させるためのメダル通し口４０，７２，１１４，１６６と、
前記基体２４，１０２，１４０に取り付けられ前記メダル通し口４０，７２，１１４，１６６から排出されたメダルを受け入れ下方に案内するメダル案内通路を形成するメダル案内部材５６，１２６，１７２と
を備え、前記メダル投入受け皿３２，１０６，１４４に投入された多数のメダルを前記筒体３４，６８，１０７，１４２内と前記メダル通し口４０，７２，１１４，１６６と前記メダル案内通路に導き、メダルを前記メダル案内通路の排出口からパチスロ機本体のメダル投入口に落下させるようにしたことを特徴とするパチスロ機用外付けメダル投入機。
【請求項２】
前記基体２４，１０２の底部をパチスロ機本体のメダル投入口近傍の台面に固定可能とし、該基体２４，１０２に、メダル投入受け皿３２，１０６と、該メダル投入受け皿３２，１０６の底部の開口部に対向し、該メダル投入受け皿３２，１０６の底部の開口部から落下するメダルを積み重なるように収納するメダル積み重ね収納部が形成された筒体３４，６８，１０７と、該筒体３４，６８，１０７内のメダルを一方向に案内するメダル滑り案内板３８，７０，１１２とを取り付け、前記メダル滑り案内板３８，７０，１１２と前記筒体３４，６８，１０７の下部との間に位置してメダルを１枚ずつ一方向に通過させるためのメダル通し口４０，７２，１１４を設け、前記基体２４，１０２に前記メダル通し口４０，７２，１１４から排出されたメダルを受け入れ下方に案内するメダル案内通路を形成するメダル案内部材５８，１２６を設け、前記メダル投入受け皿３２，１０６に投入された多数のメダルを前記筒体３４，６８，１０７内と前記メダル通し口４０，７２，１１４と前記メダル案内通路に導き、該メダルを前記メダル案内通路の排出口からパチスロ機本体のメダル投入口に落下させるようにしたことを特徴とする請求項１に記載のパチスロ機用外付けメダル投入機。
【請求項３】
前記筒体３４，６８，１０７が取り付けられた基体２４，１０２を、前記パチスロ機本体の台面に対して起倒可能とし、前記筒体３４，６８，１０７が取り付けられた基体２４，１０２を倒して前記筒体３４，６８，１０７内のメダルを外部に排出することができるようにしたことを特徴とする請求項１に記載のパチスロ機用外付けメダル投入機。
【請求項４】
固定台２６，１２８を前記基体２４，１０２の下部に固定したことを特徴とする請求項１に記載のパチスロ機用外付けメダル投入機。
【請求項５】
前記固定台２６を枠体とし、固定台２６の枠部に前記メダル案内通路から排出されたメダルを受け入れ下方に案内するメダル落下案内部材５８を取り付けたことを特徴とする請求項３に記載のパチスロ機用外付けメダル投入機。
【請求項６】
前記固定台２６，１２８を枠体とし、固定台２６，１２８の枠部の底部に該固定台２６，１２８をパチスロ機本体のメダル投入口が形成された台面に固定するための粘着剤から成る粘着層６４を設けたことを特徴とする請求項３に記載のパチスロ機用外付けメダル投入機。
【請求項７】
前記筒体１０７の上部の周壁を、下向きに傾斜した傾斜壁部１０８ｄ、１０８eとメダル投入受け皿１０６の底部の直下に位置する垂直壁部１０８ａとで屈折した管路とし、前記メダル投入受け皿１０６に投入されたメダルが前記屈折した管路の周面に衝突して跳ね返され、前記筒体１０７の下方に落下するようにしたことを特徴とする請求項１に記載のパチスロ機用外付けメダル投入機。
【請求項８】
前記メダル滑り案内板８２，１１２に駆動体を所定方向に移動可能に配置し、該駆動体をモータに連係し、該駆動体の移動によって、前記筒体３４，１０７から落下したメダル滑り案内板８２，１１２上のメダルを前記メダル通し口７２，１１４からメダル排出方向に押し出すようにしたことを特徴とする請求項１に記載のパチスロ機用外付けメダル投入機。
【請求項９】
前記駆動体を外周面に摩擦材が固着されたローラ４２，１１８で構成し、該ローラ４２，１１８の周面の一部を前記メダル滑り案内板７０，１１２に形成したスリットに配置したことを特徴とする請求項８に記載のパチスロ機用外付けメダル投入機。
【請求項１０】
前記基体１４０をボード状の部材により構成し、前記基体１４０をパチスロ機の枠部１３６に固定可能とし、該基体１４０に、メダル投入受け皿１４４と、該メダル投入受け皿１４４の底部の開口部に対向し、該メダル投入受け皿１４４の底部の開口部から落下するメダルを積み重なるように収納するメダル積み重ね収納部が形成された筒体１４２と、該筒体１４２内のメダルを一方向に案内するメダル滑り案内板１５６とを取り付け、前記メダル滑り案内板１５６と前記筒体１４２の下部との間に位置してメダルを１枚ずつ一方向に通過させるためのメダル通し口１６６を設け、前記基体１４０に前記メダル通し口１６６から排出されたメダルを受け入れ下方に案内するメダル案内通路を形成するメダル案内部材１７２を設け、前記メダル投入受け皿１４４に投入された多数のメダルを前記筒体１４２内と前記メダル通し口１６６と前記メダル案内部材１７２に導くようにし、該メダル案内部材１７２をメダル排出案内部１７２ａと該メダル排出案内部１７２ａから長く伸びるメダル誘導案内部１７２ｂとで構成し、該メダル誘導案内部１７２ｂの先端をパチスロ機本体のメダル投入口１３０の直上に配置し、前記メダル誘導案内部１７２ｂをその先端が前記メダル投入口１３０の直上から外れた位置に移動可能としたことを特徴とする請求項１に記載のパチスロ機用外付けメダル投入機。
【請求項１１】
前記 メダル滑り案内板１５６を前記筒体１４２の下部を遮蔽する位置と前記筒体１４２の下部を解放し該筒体１４２内のメダルを落下させる位置との間で移動可能としたことを特徴とする請求項１０に記載のパチスロ機用外付けメダル投入機。
【発明の詳細な説明】
【技術分野】
【０００１】
本発明は、パチスロ機のメダル投入口へ多数枚の遊戯用メダルを供給するための外付けメダル投入機に関する。
【背景技術】
【０００２】
パチスロ機側に、数１０枚以上の遊戯メダルを同時投入できるメダル貯留部と、メダル貯留部内の遊戯メダルを1枚ずつ払い出すメダル取出機構部と、メダル取出機構部から払い出された遊戯メダルを所定のメダル投入部に導くメダル供給シュータと、メダル投入部に投入される遊戯メダルを検出して個数を計測するメダル検出部を設け、メダルカップに残存している遊戯メダルを両手ですくうように取り出して、５０枚〜１００枚程度の多数の遊戯メダルを一括して投入することによって連続的に遊戯することのできるパチスロ機が従来知られている（特許文献1参照）。
【先行技術文献】
【特許文献】
【０００３】
【特許文献１】特開２００３−２４５１１号公報
【発明の概要】
【発明が解決しようとする課題】
【０００４】
上記の、多数の遊戯メダルを片手で鷲掴みで一括して投入することによって連続的に遊戯することができる機構を設けたパチスロ機は、現在、遊戯場ホールに設置されておらず、メダル投入口に直接手でメダルを投入する方式のパチスロ機が遊戯場ホールに設置されている。
そのため、遊戯者は、メダル投入口にメダルを投入するのに両手を使い、何回もメダル投入作業を行っている。
このように、現在のパチスロ機は、多数の遊戯メダルを一括して投入することによって連続的に遊戯することができないので何度もメダル投入作業を行う必要があり、メダル投入動作が煩わしく、しかも遊戯者の両手がメダルによって汚れてしまうという問題点があった。
本発明は、上記問題点を解消することを目的とするものである。
【課題を解決するための手段】
【０００５】
上記目的を達成するため、本発明は、パチスロ機本体に固定可能な基体２４，１０２，１４０と、
前記基体２４，１０２，１４０に取り付けられたメダル投入受け皿３２，１０６，１４４と、メダル投入受け皿３２，１０６，１４４の底部の開口部に対向配置され、該メダル投入受け皿３２，１０６，１４４の底部の開口部から落下するメダルを積み重なるように収納するメダル積み重ね収納部が形成された、前記基体２４，１０２，１４０に取り付けられた筒体３４，６８，１０７，１４２と、
前記基体２４，１０２，１４０に取り付けられた前記筒体３４，６８，１０７，１４２内のメダルを一方向に案内するメダル滑り案内板３８，７０，１１２，１５６と、
前記メダル滑り案内板３８，７０，１１２，１５６と前記筒体３４，６８，１０７，１４２の下部との間に位置して形成されたメダルを１枚ずつ一方向に通過させるためのメダル通し口４０，７２，１１４，１６６と、
前記基体２４，１０２，１４０に取り付けられ前記メダル通し口４０，７２，１１４，１６６から排出されたメダルを受け入れ下方に案内するメダル案内通路を形成するメダル案内部材５６，１２６，１７２と
を備え、前記メダル投入受け皿３２，１０６，１４４に投入された多数のメダルを前記筒体３４，６８，１０７，１４２内と前記メダル通し口４０，７２，１１４，１６６と前記メダル案内通路に導き、メダルを前記メダル案内通路の排出口からパチスロ機本体のメダル投入口に落下させるようにしたことを特徴とする。
また本発明は、前記基体２４，１０２の底部をパチスロ機本体のメダル投入口近傍の台面に固定可能とし、該基体２４，１０２に、メダル投入受け皿３２，１０６と、該メダル投入受け皿３２，１０６の底部の開口部に対向し、該メダル投入受け皿３２，１０６の底部の開口部から落下するメダルを積み重なるように収納するメダル積み重ね収納部が形成された筒体３４，６８，１０７と、該筒体３４，６８，１０７内のメダルを一方向に案内するメダル滑り案内板３８，７０，１１２とを取り付け、前記メダル滑り案内板３８，７０，１１２と前記筒体３４，６８，１０７の下部との間に位置してメダルを１枚ずつ一方向に通過させるためのメダル通し口４０，７２，１１４を設け、前記基体２４，１０２に前記メダル通し口４０，７２，１１４から排出されたメダルを受け入れ下方に案内するメダル案内通路を形成するメダル案内部材５８，１２６を設け、前記メダル投入受け皿３２，１０６に投入された多数のメダルを前記筒体３４，６８，１０７内と前記メダル通し口４０，７２，１１４と前記メダル案内通路に導き、該メダルを前記メダル案内通路の排出口からパチスロ機本体のメダル投入口に落下させるようにしたことを特徴とする。
また本発明は、前記筒体３４，６８，１０７が取り付けられた基体２４，１０２を、前記パチスロ機本体の台面に対して起倒可能とし、前記筒体３４，６８，１０７が取り付けられた基体２４，１０２を倒して前記筒体３４，６８，１０７内のメダルを外部に排出することができるようにしたことを特徴とする。
また本発明は、固定台２６，１２８を前記基体２４，１０２の下部に固定したことを特徴とする。
また本発明は、前記固定台２６を枠体とし、固定台２６の枠部に前記メダル案内通路から排出されたメダルを受け入れ下方に案内するメダル落下案内部材５８を取り付けたことを特徴とする。
また本発明は、前記固定台２６，１２８を枠体とし、固定台２６，１２８の枠部の底部に該固定台２６，１２８をパチスロ機本体のメダル投入口が形成された台面に固定するための粘着剤から成る粘着層６４を設けたことを特徴とする。
また本発明は、前記筒体１０７の上部の周壁を、下向きに傾斜した傾斜壁部１０８ｄ、１０８eとメダル投入受け皿１０６の底部の直下に位置する垂直壁部１０８ａとで屈折した管路とし、前記メダル投入受け皿１０６に投入されたメダルが前記屈折した管路の周面に衝突して跳ね返され、前記筒体１０７の下方に落下するようにしたことを特徴とする。
また本発明は、前記メダル滑り案内板８２，１１２に駆動体を所定方向に移動可能に配置し、該駆動体をモータに連係し、該駆動体の移動によって、前記筒体３４，１０７から落下したメダル滑り案内板８２，１１２上のメダルを前記メダル通し口７２，１１４からメダル排出方向に押し出すようにしたことを特徴とする。
また本発明は、前記駆動体を外周面に摩擦材が固着されたローラ４２，１１８で構成し、該ローラ４２，１１８の周面の一部を前記メダル滑り案内板７０，１１２に形成したスリットに配置したことを特徴とする。
また本発明は、前記基体１４０をボード状の部材により構成し、前記基体１４０をパチスロ機の枠部１３６に固定可能とし、該基体１４０に、メダル投入受け皿１４４と、該メダル投入受け皿１４４の底部の開口部に対向し、該メダル投入受け皿１４４の底部の開口部から落下するメダルを積み重なるように収納するメダル積み重ね収納部が形成された筒体１４２と、該筒体１４２内のメダルを一方向に案内するメダル滑り案内板１５６とを取り付け、前記メダル滑り案内板１５６と前記筒体１４２の下部との間に位置してメダルを１枚ずつ一方向に通過させるためのメダル通し口１６６を設け、前記基体１４０に前記メダル通し口１６６から排出されたメダルを受け入れ下方に案内するメダル案内通路を形成するメダル案内部材１７２を設け、前記メダル投入受け皿１４４に投入された多数のメダルを前記筒体１４２内と前記メダル通し口１６６と前記メダル案内部材１７２に導くようにし、該メダル案内部材１７２をメダル排出案内部１７２ａと該メダル排出案内部１７２ａから長く伸びるメダル誘導案内部１７２ｂとで構成し、該メダル誘導案内部１７２ｂの先端をパチスロ機本体のメダル投入口１３０の直上に配置し、前記メダル誘導案内部１７２ｂをその先端が前記メダル投入口１３０の直上から外れた位置に移動可能としたことを特徴とする。
また本発明は、前記 メダル滑り案内板１５６を前記筒体１４２の下部を遮蔽する位置と前記筒体１４２の下部を解放し該筒体１４２内のメダルを落下させる位置との間で移動可能としたことを特徴とするものである。
【発明の効果】
【０００６】
本発明は、多数のメダルを1度に投入できるメダル受け皿を有するメダル投入機をパチスロ機に簡単に外付けでき、遊戯者は何度も両手でメダル投入作業を行う必要がなく、且つ、両手をメダルで汚すことなく遊戯を行うことができる。
また、メダル投入機をパチスロ機に外付けしたまま、既存のメダル投入口を使用することができるので、メダル投入機が故障し使用できなくなったときや、また既存のメダル投入口の使用を好む遊戯者にも対応することができる。
【図面の簡単な説明】
【０００７】
【図１】本発明の構成を示す分解説明図である。
【図２】筒体の一部と本体の内部構造を省略した本発明の説明図である。
【図３】粘着層の輪部を示す平面図である。
【図４】本発明の断面説明図である。
【図５】パチスロ機に本発明に係るメダル投入機を取り付けた状態の外観図である。
【図６】本発明のブロック説明図である。
【図７】本発明の他の実施の形態を示す断面説明図である。
【図８】本発明の他の実施の形態を示す説明図である。
【図９】本発明の他の実施の形態を示す説明図である。
【図１０】本発明の他の実施の形態を示す説明図である。
【図１１】本発明の他の実施の形態を示す説明図である。
【図１２】本発明の他の実施の形態を示す外観説明図である。
【図１３】同、断面説明図である。
【図１４】同、外観説明図である。
【図１５】同、外観説明図である。
【図１６】本発明の他の実施の形態を示す外観説明図である。
【図１７】同、断面説明図である。
【図１８】同、断面説明図である。
【図１９】同、断面説明図である。
【発明を実施するための形態】
【０００８】
以下に本発明の構成を添付した図面を参照して詳細に説明する。
図５は、パチスロ機本体２のメダル投入口が形成された台面３に本発明に係る外付けメダル投入機４を取り付けた状態の外観図を示している。  
遊戯者は始めに、パチスロ機のメダルサンドに現金を投入し、払い出しボタンを押すと、千円分のメダルがパチスロ機の受け皿６に貸し出される。この受け皿３２に入ったメダルを、両手を使い、手に取り最大50枚のメダルをメダル投入機4の受け皿３２に入れると、この受け皿６に入れたメダルは、パチスロ機本体2のメダル投入口に供給され、ゲームを始めることができる。
【０００９】
遊戯者は、メダルの投入によって操作可能となるスタートレバー１０押し下げ操作する。これにより3種のリール１２，１４，１６が同時に回転を開始し、続いて遊戯者が3個のストップ釦１８，２０，２２を順次押圧操作すると、各リール１２，１４，１６が個々に対応するストップ釦１８，２０，２２が押圧されたタイミングで順次回転を停止する。
回転停止した各リール１２，１４，１６の図柄が入賞組み合わせの状態に揃うとその入賞に応じて割り当てられた枚数のメダルが受け皿６内に払い出される。
【００１０】
図１の説明図は、外付けメダル投入機４の構成を示している。メダル投入機４は、透明なプラスチック材から成る基体２４と、固定台２６とから構成され、これらの間には、固定台２６に、基体２４を所定の範囲内で揺動可能に且つ脱着可能に連結する回転連結部２８，２８，３０，３０が設けられている。基体２４には上部にメダル投入受け皿３２が形成されている。
【００１１】
受け皿３２には、これに投入されたメダルが、受け皿３２の底部に開口配置された筒体３４に導かれるようにメダル案内わん曲面が形成され、更にこのわん曲面には、基体２４を固定台２６に対し、回転連結部２８，３０を中心として倒したときに（図２参照）、筒体３４内のメダルを外部に案内するための断面Ｕ字状のメダル案内溝部３６が形成されている。
【００１２】
筒体３４は、透明なプラスチック材により構成され、基体２４と一体的に形成され、基体２４の内部に垂直に配置されている。筒体３４は、その内部に複数のメダルが水平状態で互いに積み重なる上積み状態で挿入されるように内径がメダルの径と略同径に形成されている。
【００１３】
筒体３４の底部には、筒体３４の底部のメダルを図４中、左方向に滑らせるための、下向きに傾斜したメダル滑り案内板３８が形成されている。
筒体３４の下端と、メダル滑り案内板３８のメダル案内面との間には、メダル８の厚さより若干大きなスペースを存して、対向し、このスペースは、１枚のメダルをメダル排出方向に通すメダル通し口４０を構成している。
【００１４】
メダル通し口４０には、メダル送り出しローラ４２の外周部のゴム材が、メダル滑り案内板３８に形成された切り欠き溝４１を介して配置され、該ローラ４２のゴムの外周面は、メダル滑り案内板３８の案内面より若干突出し、該ローラ４２のゴム外周面と筒体３４の下端との縦方向の間隔は、メダルの厚さと略同一に設定されている。
【００１５】
ローラ４２の中心軸は、基体２４に取り付けられたモータ４６の回転軸に連結し、ローラ４２は、モータ４６の駆動によって、前記メダル通し口４０に位置するメダル８を、筒体３４の外の、メダル排出方向に押し出す方向に回転するように構成されている。
【００１６】
ローラ４２の外周面に嵌着されたゴム材４４は、メダル通し口４０に対向するメダルを筒体３４の外部に回転力で強制的に押し出すための回転摩擦部材を構成し、ローラ４２とゴム材４４は、メダルをメダル通し口４０からメダル排出方向に押し出す駆動体を構成している。
【００１７】
本実施形態では、ローラ４２は、１個を使用したが特に１個に限定されるものではなく、複数用いることが可能であり、複数のローラに無端状のゴムベルトを掛架して駆動体を構成しても良い。メダル投入機４には、基体２４とコードを介して接続するモータ制御ボックス４８が配備され、これにモータ駆動制御回路５０が組み込まれた電子基盤とモータ駆動用電池５２が内蔵され、電池５２は、ボックス４８のキャップを外すことにより交換可能となっている。
【００１８】
モータ駆動制御回路５０には、コードを介してモータ４６が接続している。また、モータ駆動制御回路５０には、メダル滑り案内板３８に取り付けられたメダル検出センサ５４がコードを介して接続している。
基体２４には、メダル案内通路が形成されたメダル案内部材５６が設けられ、メダル通し口４０から排出されたメダル８を基体２４の下部に導くように構成されている。
【００１９】
固定台２６は、基体２４の底面の輪郭と略同一の輪郭を有する枠体により構成され、固定台２６に回転連結部２８，３０を介して基体２４を連結した状態において、基体２４の底面と固定台２６の上縁部は、互いに密着するように構成されている。固定台２６の枠には、メダル落下案内部材５８を脱着自在に、固定台２６に取り付けるための保持具６０が設けられている。パチスロ機本体２のメダル投入口（図示省略）の周囲は、パチスロ機の機種が異なるごとに種々の凹凸形成を有している。固定台２６は、メダル投入口周囲の各種の凹凸形状を避けて、パチスロ機本体２の台面３に水平に配置できるように枠形状と高さが設定されている。
【００２０】
メダル落下案内部材５８は、上部から下部にメダルを案内するメダル落下案内通路が形成されている。このメダル落下案内通路の下端開口部は、パチスロ機本体側のメダル投入口６２にメダルを落下挿入させるのに適した形状に形成されている。枠状の固定台２８の底部側には、これとほぼ同様の枠状の外形を有する、粘着剤から成る粘着層６４（図３参照）が接着され、粘着層６４の開放面側には、プラスチックフィルムなどの薄膜状シート部材からなる粘着面保護シール６５が接着されている。
【００２１】
次に、メダル投入機４を、パチスロ機本体２に取り付ける作業について説明する。
まず、パチスロ機本体２のメダル投入口６２と固定台２６側の取り付け枠６０の位置とを合わせ、固定台２６のパチスロ機本体２に対する取り付け位置を決めた後、粘着層６４から保護シール６５をその突片部６５ａを手で掴んで剥がし、固定台２６を、その取付枠６０をパチスロ機本体２の、メダル投入口６２に合わせて、メダル投入口６２が形成された台面３に接着固定する。パチスロ機本体２の台面３に形成されたメダル投入口６２は、機種によって種々の構成が存在し、具体的な構造は図示省略した。
【００２２】
次に、メダル落下案内部材５８を取付け枠６０に嵌合し、案内部材５８の下端開口部を、パチスロ機本体１のメダル投入口６２の直上に対向配置する。
次に、基体２４を固定台２６に、脱着可能な回転連結部２８，３０を介して連結し、基体２４の底面を固定台２６の上縁部に載置当接させる。
【００２３】
上記した構成において、数十枚のメダルを基体２４の受け皿３２に投入すると、メダル８は1枚ずつ水平な状態で筒体３４に落下し、筒体３４内で上積みされる。筒体３４内にメダル８が投入されると、センサ５４がメダルを感知し、ボックス４８内のモータ駆動制御回路５０にメダル感知信号が送られる。これにより、モータ４６が駆動され、ローラ４２が図４中、左方向に回転し、１枚ずつ筒体３４内のメダル８が、ローラ４２（駆動体）の駆動によりメダル排出方向に押し出され、メダル通し口４０から排出される。排出されたメダル８は、メダル案内部材５６とメダル落下案内部材５８を経てパチスロ機本体２のメダル投入口６２内に落下する。
【００２４】
筒体３４内のメダルがなくなると、センサ５４がメダルなしを感知し、モータ４６の駆動が停止する。投入機４が正常に動作せず投入機４内でメダルに目詰まりが生じた場合には、モータ４６の駆動を停止し基体２４を図２に示すように、垂直方向に持ち上げ、筒体３４内のメダルを受け皿３２の溝３６を通じて外部に回収する。その後、基体２４を元の状態に戻し、メダル投入動作を再開する。
【００２５】
基体２４内のメダルの状態は、基体２４、筒体３４、メダル案内部材５６、固定台２６、メダル案内部材５８の透明構造により外部から目視することができる。
上記実施形態では、筒体３４内のメダルに対して、メダル送り出しローラ４２の回転力を作用させたが、メダル送り出しローラ４２を設けなくとも良く、メダル通し口４０からメダルをメダル案内部材５６に自然落下させる構成としても良い。また、上記実施形態では、固定台２６を、パチスロ機２の台面３に、粘着層６４を介して、接着したが、粘着層６４を設けないでパチスロ機本体２の台面３に、ねじ止めする構成としても良く、固定台２６を台面３に取り付ける構造は種々の構造を採用することができる。
【００２６】
また、図７に示すように、基体（図示省略）に、メダル滑り案内板７０と、受け皿６６を設け、受け皿６６に屈曲させた筒体６８を結合し、筒体６８内のメダルを１枚ずつメダル滑り案内板７０に導き、滑り案内板７０と筒体６８のメダル排出口との間に設けた、１枚のメダルを通すメダル通し口７２からメダルを固定台（図示省略）側のメダル落下案内部材５８に自然落下させるようにしても良い。
【００２７】
メダルが目詰まりしたときは、基体を傾け、筒体６８に形成したメダル取り出し口６８ａから、筒体６８内のメダルを外部に排出し回収する。基体の受け皿６６の構造と、基体と、基体と固定台との連結構造と、メダル投入機の内部構造が外部から目視できる透明構造は、第１の実施例と同一であり、その説明を省略する。
【００２８】
なお、上記した実施形態では、基体のメダル投入受け皿３２に、パチスロ機本体２の受け皿６から手で以ってメダルを供給する構成となっているが、パチスロ機本体２側に、受け皿６に供給するメダルを直接基体２４，６６のメダル投入受け皿３２に供給する機構を付加するようにしても良い。この場合、遊戯者は、手でメダルを汚すことなく遊ぶことができる。
【００２９】
次に、筒体下部の筒壁と、メダル滑り案内板との間のメダル通し口に位置するメダルを、メダル通し口からメダル滑り案内板に沿って、その下方即ちメダル排出方向に強制的に押し出す駆動体の他の実施形態を図８と図９を参照して詳細に説明する。
本体に滑り案内板７０を傾けて配置し、これにメダル上積み用筒体６８の下端を対向させる。滑り案内板７０のメダル排出方向には、メダル落下案内部材５８を配置する。滑り案内板７０に板状の駆動体６６を回転自在に取り付け、回転軸７４を本体に設けたモータ７６に連結する。
【００３０】
駆動体６６には、半円形の輪郭を有し、厚さがメダル８の厚さと同じ約２ｍｍのメダル挿入用凹部７８が複数形成されている。滑り案内板７０の周囲には、駆動体６６を囲んで、メダル移動規制用のガイド８０が設けられている。
筒体６８の下端とメダル滑り案内板７０の上面との間には水平状態で１枚のメダルを通すメダル通し口が形成されている。
【００３１】
上記した構成において、駆動体６６は、モータ７６によって図９中、反時計方向に回転する。メダル受け皿３２から落下したメダル８は、筒体６８内で１枚ずつ上積みされ、最下位のメダルが筒体６８の直下の駆動体６６の凹部７８に落下する。凹部７８に入ったメダル８は、駆動体６６の回転より、メダル通し口を排出方向に押し出され、凹部７８の開放部がメダル案内部材５６の開口部に位置したところで、メダル８がメダル滑り案内板７０からメダル落下案内部材５６に落下する。
【００３２】
このようにして、筒体６８内のメダルは１枚ずつ駆動体６６により強制的にメダル通し口からメダル排出方向に押し出される。
図１０は、駆動体の他の実施形態を示し、滑り案内板８２に板状の駆動体８３が所定の角度、例えば３０度の範囲内で揺動するように回転軸８８が基体に設けたモータに連結されている。
駆動体８３には、凹部８４が形成され、筒体から、筒体下端と滑り案内板８２との間のメダル通し口８６に落ちてきたメダルが凹部８４の中に入りこれに規制される。
【００３３】
センサ（図示省略）が凹部８４内のメダル８を感知すると、モーターが駆動し、駆動体８３が図１０中、時計方向に揺動してメダル８を排出方向に押し出し、メダル通し口８６を通じてメダル案内部材５６にメダル８を落下させる。駆動体８３が本体側に設けたストッパー８９に当接すると、センサが感知してモーターの駆動が停止し、駆動体８３はバネ力によって、ストッパー９１に係止されるまで図１０中、反時計方向に揺動し、元位置に復帰する。この動作が連続的に繰り返し行われる。
【００３４】
図１１は、駆動体の他の実施形態を示し、基体に傾斜して配置された滑り案内板９０に板状の駆動体９２が、長穴９４と案内軸９６からなるガイド機構に案内されて所定の範囲内で直線方向に往復動するように、基体に設けたモーターに回転運動を直線運動に変換する歯車機構（図示省略）を介して連結されている。
【００３５】
駆動体９２には、凹部９８が形成され、筒体からメダル通し口１００に落ちてきたメダル８が凹部９８の中に入り、これに規制される。センサ（図示省略）が凹部９８内のメダル８を感知するとモーターが駆動し、駆動体９２が、図１０中、Ａ方向に移動してメダル８を押し下げ、メダル案内部材５６にメダルを落下させる。
【００３６】
駆動体９２が下位ストッパー（図示省略）に当接すると、センサが感知してモーターの駆動が停止し、駆動体９２は、バネ力によって上位ストッパー（図示省略）に係止されるまで図１１中、Ｂ方向に移動し、元位置に復帰する。この動作が連続的に繰り返し行われる。
【００３７】
次に、図１２乃至図１４を参照して、本発明の他の実施形態を説明する。
メダル投入機１０１は、透明なプラスチック材から成る基体１０２を備え、基体１０２内に透明な筒体１０７が設けられている。筒体１０７は、上部筒体１０８と下部筒体１１０とから構成されている。基体１０２は、互いに別体の上部基体１０２ａと下部基体１０２ｂとから構成されている。上部基体１０２ａと下部基体１０２ｂとの間には、下部基体１０２ｂに上部基体１０２ａを所定の範囲内で揺動可能に且つ脱着可能に連結する回転連結部１０４が設けられている。
【００３８】
また、上部基体１０２ａは下部基体１０２ｂに対して、取付け位置を水平方向に四方向に更可能に下部基体１０２ｂに取り付けられている。
上部基体１０２ａの内部には、透明なプラスチック材によりメダル投入受け皿１０６と上部筒体１０８が設けられている。メダル投入受け皿１０６は底部に向かう傾斜面を有し、メダル投入受け皿１０６の底部と上部筒体１０８の上部はメダルの径より若干大きい丸い開口部を介して互いに連通している。メダル投入受け投入皿１０６の傾斜面は、投入されたメダルを上部筒体１０８の開口部に案内するように構成されている。
【００３９】
上部筒体１０８は、垂直壁部１０８ａ，１０８ｂ，１０８ｃと傾斜壁部１０８ｄ，１０８eとから構成されている。下部筒体１１０は、透明なプラスチック材により構成され、下部基体１０９ｂの内部に垂直に配置されている。下部筒体１１０は、上部筒体１０８から落下した複数のメダルが水平状態で互いに積み重なる上積み状態で挿入されるように内径がメダルの径と略同径に形成されている。
【００４０】
下部筒体１１０の上端と上部筒体１０８の下端の開口部は互いに同径に形成され、下部筒体１１０と上部筒体１０８は開口部を介して連通している。下部筒体１１０の底部には、該筒体１１０内のメダルを図１３中、左方向に滑らせるための、下向きに傾斜した透明なメダル滑り案内板１１２が形成されている。下部筒体１１０の一方側の下端は、メダル滑り案内板１１２のメダル案内面に対して、メダル８の厚さより若干大きなスペースを存して対向し、このスペースは１枚のメダル８をメダル排出方向に通すメダル通し口１１４を構成している。
【００４１】
前記筒体１０７の上部は、メダル投入受け皿３２の底部の直下に位置する垂直壁部１０８ａと、下向きに傾斜した傾斜壁部１０８ｄ、１０８eとで、屈折した管路１１６を構成している。この屈折した管路１１６を設けることでメダル投入受け皿１０６に投入されたメダル８が、垂直壁部１０８ａや傾斜壁部１０８ｄ、１０８eに衝突し、跳ね返されるためメダル８が目詰まりし難く、メダルが筒体１０７の下方に、一枚ずつ積み重なって落下することができる。
【００４２】
メダル通し口１１４の近傍には、メダル送り出しローラ１１８の外周部のゴム材１２０が、メダル滑り案内板１１２に形成された切り欠き溝を介して配置され、ローラ１１８のゴムの外周面はメダル滑り案内板１１２の案内面より若干突出するように配置されている。ローラ１１８の外周部は、わん曲面と平坦面が交互に形成され、変形した周面を形成している。ローラ１１８の中心軸は、下部基体１０２ｂの内部に配設されたモータ１２２の回転軸に連結し、ローラ１１８は、モータ１２２の駆動によってメダル滑り案内板１１２上に位置するメダル８を下部筒体１１０の外の、メダル排出方向に押し出す方向に回転するように構成されている。
【００４３】
ローラ１１８とゴム材１２０は、メダル８をメダル通し口１１４からメダル排出方向に押し出す駆動体を構成している。モータ１２２は、下部基体１０２ｂに設けられたモータ駆動制御回路（図示省略）に接続し、該モータ駆動制御回路には、メダル滑り案内板１１２に取り付けられたメダル検出センサ（図示省略）が接続している。
【００４４】
下部基体１０２ｂには、メダル案内通路１２４を形成するメダル案内部材１２６が設けられ、メダル通し口１１４から排出されたメダル８を、下部基体１０２ｂの外部に導くように構成されている。下部基体１０２ｂの下縁部には、基体１０２をパチスロ機本体の台面に取り付けるための枠状の固定台１２８が固定されている。該固定台１２８は、ねじ止め、あるいは粘着層等によりパチスロ機本体の台面に取り付けることができるように構成されている。
上記した構成において、メダル投入機１０１をパチスロ機本体に取り付けるためには、まずメダル案内通路１２４の出口を、パチスロ機本体のメダル投入口に合わせ、固定台１２８をパチスロ機本体の台面にねじ止め、あるいは粘着層その他適宜の取付け手段により取り付ける。
【００４５】
パチスロ機本体の台面に取り付けられたメダル投入機１０１の受け皿１０６に、数十枚のメダルを投入すると、受け皿１０６内のメダルは、上部筒体１０８の垂直壁部１０８ａに当たり、跳ね返されて上部筒体１０８の下方に一枚ずつ重なるように落下する。上部筒体１０８を通過した複数のメダルは下部筒体１１０に導かれ下部筒体１１０内で上積みされる。下部筒体１１０内にメダル８が落下するとセンサがメダルを感知し、モータ１２２が駆動され、ローラ１１８が図１３中、反時計方向に回転し、１枚ずつ下部筒体１１０内のメダル８がローラ１１８（駆動体）の駆動によりメダル排出方向に押し出され、メダル通し口１１４から排出される。
【００４６】
排出されたメダル８は、メダル案内通路１２４を経てパチスロ機本体のメダル投入口内に落下する。下部筒体１１０のメダルがなくなると、センサがメダルなしを感知し、モータ１２２の駆動が停止する。メダル投入機１０１が正常に動作せず、メダル投入機１０１内で上部筒体１０８内でメダルに目詰まりが生じた場合には、モータ１２２の駆動を停止し、上部基体１０２ａを図１５に示すように９０度方向に持ち上げて回動し、筒体１０７内のメダルを外部に回収する。その後、上部基体１０２ａを元の状態に戻し、メダル投入動作を再会する。
【００４７】
本実施形態では、下部基体１０２ｂに固定台１２８を固定したがパチスロ機の機種によっては下部基体１０２ｂに、固定台１２８を付けないで下部基体１０２ｂを直接パチスロ機の台面にねじ止め、接着等により固定するようにしても良い。
【００４８】
次に本発明の他の実施形態を図１６乃至図１８を参照して詳細に説明する。
図１６は、パチスロ機本体２の外観図を示し、その台面３にメダル投入口１３０が形成されたメダル投入部１３２が設けられている。本体２の飾りモールを構成する枠部１３４，１３６の中の一方の枠部１３６の内側には、本発明に係る外付けメダル投入機１３８が取り付けられている。一方の枠部１３６は、その内側に取り付けたメダル投入機１３８を図示するため、一部を切り欠いて示している。
【００４９】
メダル投入機１３８は、ボード状の基体１４０を備え、これに筒体１４２が取付具１４３を介して、取り付けられている。筒体１４２は、上部筒体１４２aと下部筒体１４２ｂとから構成されている。上部筒体１４２aには、一体的にメダル投入受け皿１４４が形成されている。メダル投入受け皿１４４は、底部に向かう傾斜面を有し、メダル投入受け皿１４４の底部と上部筒体１４２aの上部はメダルの径より若干大きい丸い開口部を介して互いに連通している。メダル投入受け皿１４４の傾斜面は、投入されたメダルを上部筒体１４２aの開口部に案内するように構成されている。
【００５０】
上部筒体１４２aは、垂直壁部１４６，１４８，１５０と傾斜壁部１５２，１５４とから構成されている。下部筒体１４２ｂは、上部筒体１４２aから落下した複数のメダルが水平状態で互いに積み重なる上積み状態で挿入されるように内径がメダルの径と略同径に形成されている。
下部筒体１４２ｂの上端と上部筒体１４２aの下端の開口部は互いに同径に形成され、下部筒体１４２ｂと上部筒体１４２aは開口部を介して互いに連通している。下部筒体１４２ｂの底部には、該筒体１４２ｂ内のメダルを図１７中、左方向にスライドさせるための下向きに傾斜したメダル滑り案内板１５６が配置されている。筒体１４２ｂの下端には取り付け具１５９を介して軸体１５８が回転自在に支承され、該軸体１５８にメダル滑り案内板１５６の一方が固定されている。軸体１５８は、筒体１４２の下部の外側方に位置し、図１７中、紙面垂直方向に伸びている。
【００５１】
軸体１５８の一方には、筒体１４２の外側方に配置されたアーム１６０が直角方向に向いて固定されている。軸体１５８は、コイルばねの弾力によって、図１７中、時計方向に付勢され、アーム１６０は、この付勢力によって、筒体１４２の側壁の外周面に突設されたストッパー軸１６４に弾接している。滑り案内板１５６の傾斜角度は、前記ストッパー軸１６４によって規定されている。上記アーム１６０とストッパー軸１６４は、図１７中、下部筒体１４２の管壁の外側に位置し実線で図示できないので、図１７中、仮想線で示している。下部筒体１４２ｂの下端の一方側は、メダル滑り案内板１５６のメダル案内面に対して、メダルの厚さより若干大きなスペースを存して対向し、このスペースは１枚のメダルをメダル排出方向に通すメダル通し口１６６を構成している。
【００５２】
前記筒体１４２の上部は、メダル投入受け皿１４４の底部の下方に位置する垂直壁部１４８，１４６と、下向きに傾斜した傾斜壁部１５２，１５４とで、屈折した管路を構成している。この屈折した管路を設けることでメダル投入受け皿１４４に投入されたメダル８が垂直壁部１４８や傾斜壁部１５２，１５４に衝突し、跳ね返されるため、メダルが目詰まりし難く、スムーズにメダルが筒体１４２の下方に一枚づづ重なって落下することができる。
【００５３】
メダル通し口１６６の近傍には、メダル送り出しローラ１６８の外周部のゴム材がメダル滑り案内板１５６に形成された切り欠き溝１７０を介して配置され、ローラ１６８のゴム外周面はメダル滑り案内板１５６の案内面より若干突出するように配置されている。ローラ１６８の外周部はわん曲面と平坦面が交互に形成され、変形した周面を形成している。ローラ１６８の中心軸は、メダル滑り案内板１５６の側部に取付具（図示省略）を介して固定されたモータ４６の出力軸に連結し、ローラ１６８は、モータ４６の駆動によって、メダル滑り案内板１５６上に位置するメダルを、メダル通し口１６６から、下部筒体１４２ｂの外へ押し出す方向に回転するように構成されている。
【００５４】
ローラ１６８はメダル８をメダル通し口１６６からメダル排出方向に押し出す駆動体を構成している。モータ４６は、基体１４０に設けられたモータ駆動制御回路５０に接続し、該モータ駆動制御回路５０には、メダル滑り案内板１５６に取り付けられたメダル検出センサ５４が接続している。下部筒体１４２ｂにはメダル案内部材１７２が取り付けられ、メダル通し口１６６から排出されたメダル８を、下部筒体１４２ｂの外部に排出するように構成されている。
【００５５】
メダル案内部材１７２は、メダル排出案内部１７２aと、メダル投入誘導部１７２ｂとから構成され、メダル排出案内部１７２aのメダル排出口にパイプ型のメダル投入誘導部１７２ｂの一端が連結している。メダル投入誘導部１７２ｂは、３本のパイプがスライド自在に連結する３段式伸縮自在型に構成され、内部に下向きに傾斜したメダル案内通路が形成されるようになっている。このメダル案内通路にはパイプの接合部によって段差が形成されないように、内側のパイプと外側のパイプとの接合部にテーパー面が形成され、メダルがスムーズにメダル案内通路を流れるように構成されている。メダル投入誘導部１７２ｂの先端は、パチスロ機側のメダル投入口１３０に対面するように下向き屈曲部が形成されている。
【００５６】
下部筒体１４２ｂの下方には、筒状のメダルガイド１７４が配置され、該ガイド１７４は、取付具（図示省略）を介して、基体１４０に取り付けられている。基体１４０には、筒体１４２を覆うカバー１７６が設けられ、カバー１７６の上方にメダル投入受け皿１４４が位置するように構成されている。メダル投入機１３８は、基体１４０を、パチスロ機の飾りモールなどの枠部１３６の内側の所定位置に適宜な取付具を介して固定すると伸長状態のメダル投入誘導部１７２ｂの先端が、パチスロ機側のメダル投入口１３０の直上に位置するように、予め基体１４０と筒体１４２との位置関係が設定され、基体１４０に筒体１４２が取付具１４３を介して固定されている。基体１４０に対して筒体１４２の取り付け位置は調整可能に構成されている。
【００５７】
パチスロ機の枠部１３６にメダル投入機１３８を取り付け、パチスロ機のメダル投入口１３０にメダル投入誘導部１７２ｂの先端を、対面配置した状態において、メダル投入機１３８の受け皿１４４に、手づかみで数十枚のメダルを投入すると、受け皿１４４内のメダルは、上部筒体１４２aの垂直壁部１４８に当たり、跳ね返されて上部筒体１４２aの下方に一枚ずつ重なるように落下する。上部筒体１４２aを通過した複数のメダルは、下部筒体１４２ｂに導かれ下部筒体１４２ｂ内で上積みされる。下部筒体１４２ｂ内にメダルが落下するとセンサ５４がメダルを感知し、モータ４６が駆動され、ローラ１６８が図１７中、反時計方向に回転し、一枚ずつ下部筒体１４２a内のメダルがローラ１６８の駆動によりメダル排出方向に押し出されメダル通し口１６６から排出される。
【００５８】
排出されたメダルは、メダル案内部材１７２のメダル投入誘導部１７２bを経てパチスロ機本体のメダル投入口１３０内に落下する。メダル投入機１３８が正常に動作せず、メダル投入機１３８内でメダルに目詰まりが生じた場合には、メダル回収受け皿１７８をメダルガイド１７４の下方に配置し、アーム１６６を手で押し下げてメダル滑り案内板１５６を軸体１５８を中心として揺動し、下部筒体１４２bの底部を開放する。これにより筒体１４２内の目詰まり状態のメダルが下方に落下し、メダル回収受け皿１７８に回収され、筒体１４２内のメダルの目詰まりが解消される。
【００５９】
メダル回収作業が終わったところで、アーム１６０を元の位置に復帰させ、アーム１６０をストッパー軸１６４に弾接係止させる。メダル投入機１３８が故障したり、あるいは遊戯者の選択によりメダル投入機１３８を使用せず、パチスロ機側のメダル投入口１３０を使用する場合には、伸長状態のメダル投入誘導部１７２bを手で押し込んで可動部分をスライドさせ、メダル投入誘導部１７２bのパイプの先端をメダル投入口１３０から遠ざける。これによりメダル投入口１３０の上方が開放され、メダル投入口１３０は通常の使用可能状態となる。
【００６０】
本実施形態では、メダル案内部材７２のメダル投入誘導部１７２bを伸縮自在型として、メダル投入口１３０の直上を開放可能としたが、特にこの伸縮型の構成に限定されるものではなくメダル投入誘導部１７２ｂをメダル投入口１３０に対して側方に揺動可能としたり、メダル排出案内部１７２ａに対して脱着可能な構成とする等、任意の構成とすることができる。
また、筒体１４２の底部を開放する構成も手動に限定されるものではなく、モータの駆動力を用いて自動的にメダル滑り案内板１５６をスライドさせ、あるいは揺動させて筒体１４２の底部を開放する構成としてもよい。
【符号の説明】
【００６１】
２      パチスロ機本体
３      台面
４      メダル投入機
６      受け皿
８      メダル
１０    スタートレバー
１２    リール
１４    リール
１６    リール
１８    ストップ釦
２０    ストップ釦
２２    ストップ釦
２４    基体
２６    固定台
２８    回転連結部
３０    回転連結部
３２    受け皿
３４    筒体
３６    溝部
３８    滑り案内板
４０    メダル通し口
４１    切り欠き溝
４２    ローラ
４４    ゴム材
４６    モータ
４８    モータ制御ボックス
５０    モータ制御回路
５２    電池
５４    センサ
５６    メダル案内部材
５８    メダル落下案内部材
６０    取付枠
６２    メダル投入口
６４    粘着層
６５    保護シール
６６    駆動体
６８    筒体
７０    メダル滑り案内板
７２    メダル通し口
７４    回転軸
７６    モーター
７８    凹部
８０    ガイド
８２    滑り案内板
８３    駆動体
８４    凹部
８６    メダル通し口
８８    回転軸
８９    ストッパー
９０    滑り案内板
９１    ストッパー
９２    駆動体
９４    長穴
９６    案内軸
９８    凹部
１００      メダル通し口
１０１      メダル投入機
１０２      基体
１０２ａ    上部基体
１０２ｂ    下部基体
１０４      回転連結部
１０６      メダル投入受け皿
１０７      筒体
１０８      上部筒体
１０８ａ    垂直壁部
１０８ｂ    垂直壁部
１０８ｃ    垂直壁部
１０８ｄ    傾斜壁部
１０８ｅ    傾斜壁部
１１０      下部基体
１１２      メダル滑り案内板
１１４      メダル通し口
１１６      管路
１１８      ローラ
１２０      ゴム材
１２２      モータ
１２４      メダル案内通路
１２６      メダル案内部材
１２８      固定台
１３０      メダル投入口
１３２      メダル投入部
１３４      枠部
１３６      枠部
１３８      メダル投入機
１４０      基体
１４２      筒体
１４２a    上部筒体
１４２ｂ    下部筒体
１４３      取付具
１４４      メダル投入受け皿
１４６      垂直壁部
１４８      垂直壁部
１５０      垂直壁部
１５２      傾斜壁部
１５４      傾斜壁部
１５６      メダル滑り案内板
１５８      軸体
１５９      取り付け具
１６０      アーム
１６４      ストッパー軸
１６６      メダル通し口
１６８      メダル送り出しローラ
１７０      切り欠き溝
１７２      メダル案内部材
１７２a    メダル排出案内部
１７２ｂ    メダル投入誘導部
１７４      メダルガイド
１７６      カバー
１７８      メダル回収受け皿
【図１】
2020124470.tif 000003
【図２】
2020124470.tif 000004
【図３】
2020124470.tif 000005
【図４】
2020124470.tif 000006
【図５】
2020124470.tif 000007
【図６】
2020124470.tif 000008
【図７】
2020124470.tif 000009
【図８】
2020124470.tif 000010
【図９】
2020124470.tif 000011
【図１０】
2020124470.tif 000012
【図１１】
2020124470.tif 000013
【図１２】
2020124470.tif 000014
【図１３】
2020124470.tif 000015
【図１４】
2020124470.tif 000016
【図１５】
2020124470.tif 000017
【図１６】
2020124470.tif 000018
【図１７】
2020124470.tif 000019
【図１８】
2020124470.tif 000020
【図１９】
2020124470.tif 000021